(57)【要約】警報装置１０は、音声発出装置を配置した直立型ハウジングと、歩行者の接近に応答して音声発出装置を通電するセンサ１８とを備える。警報装置の底部には、警報装置を所定位置に保持するべく床に係合するための吸着装置が設けられ、該吸着装置は、ハウジング内に配置されかつハウジングの常時施錠扉１６から接近可能な作動レバーを有する。
2004532432.tif 000002
【特許請求の範囲】
【請求項１】
床に直立するための構造を備える警報装置であって、音声発出手段を取り付けたハウジングと、歩行者の接近に応答して前記音声発出手段を通電するセンサと、前記警報装置の底部に設けられかつ前記床に係合して前記警報装置を所定位置に保持するために操作可能な吸着装置とを有し、前記吸着装置が、前記ハウジング内に配置されかつ前記ハウジングの扉を通して接近可能な作動レバーを有することを特徴とする警報装置。
【請求項２】
前記ハウジングが細長い形状であることを特徴とする請求項１に記載の警報装置。
【請求項３】
前記ハウジングの上部が前記警報装置の上端部に向けて細くなっていることを特徴とする請求項２に記載の警報装置。
【請求項４】
前記センサが前記警報装置の上端部またはその付近に配置されていることを特徴とする請求項１乃至３のいずれかに記載の警報装置。
【請求項５】
前記音声発出手段を介して言葉のメッセージを再生するように構成されていることを特徴とする請求項１乃至４のいずれかに記載の警報装置。
【請求項６】
多数の使用可能なメッセージの中から再生すべき前記言葉のメッセージを選択するための手段を有することを特徴とする請求項５に記載の警報装置。
【請求項７】
選択的に再生するために１つまたは複数の新しいメッセージを録音するように構成されていることを特徴とする請求項５または６に記載の警報装置。
【請求項８】
前記センサが歩行者の接近を感知することに応答して通電されるせん光灯を有することを特徴とする請求項１乃至７のいずれかに記載の警報装置。
【請求項９】
前記警報装置を他の構造に連結させて歩行者への障害物を形成するための細長い可撓性要素を有することを特徴とする請求項１乃至８のいずれかに記載の警報装置。
【発明の詳細な説明】
【技術分野】
【０００１】
本発明は警報装置に関し、より詳細には、公共の建物や他の歩道において例えば床が濡れていることを警告する場合に使用するための警報装置に関する。
【背景技術】
【０００２】
一般に、ショッピングセンタのような公共の建物や公共の歩道の床の上に警報装置を配置して、例えば洗浄したばかりであるために濡れていたり、さもなければ一時的にその上を歩くことが適当でない床の領域を歩行者に警告することが行なわれている。
【０００３】
そこで、本願発明者は、歩行者に与える警告の効果を改善した警報装置を案出したものである。
【発明の開示】
【課題を解決するための手段】
【０００４】
本発明によれば、床に直立するための構造を備える警報装置であって、音声発出手段を取り付けたハウジングと、歩行者の接近に応答して前記音声発出手段を通電するセンサと、前記警報装置の底部に設けられかつ前記床に係合して前記警報装置を所定位置に保持するために操作可能な吸着装置とを有し、前記吸着装置が、前記ハウジング内に配置されかつ前記ハウジングの扉を通して接近可能な作動レバーを有する警報装置が提供される。
【０００５】
警報装置の前記ハウジングが細長い形状をなし、該ハウジングの底部が直接または警報装置の基部によって床に直立することが好ましい。前記ハウジングの上部は、警報装置の上端部に向けて先細にすることができる。前記ハウジングは、断面を正方形または円形とすることができ、もしくは他のあらゆる適当な断面形状とすることができる。
【０００６】
前記センサは、警報装置の上端部またはその付近に配置することが好ましい。前記音声発出手段は、警報装置の上端部付近に配置することが好ましい。前記ハウジングの一方または複数の側壁に開口（例えば格子窓）を形成して、前記音声発出手段により生成された音声を発出できるようにすることが好ましい。
【０００７】
警報装置は、前記音声発出手段を介して言葉のメッセージを再生するように構成することが好ましい。多数の利用可能なメッセージから、再生される言葉のメッセージを選択する機能が設けられていると好都合である。警報装置は、新しいメッセージを録音できるように構成することが好ましい。
【０００８】
警報装置は、前記センサが歩行者の接近を感知することに応答して通電されるせん光灯を備えることができる。
【発明を実施するための最良の形態】
【０００９】
以下に添付図面を参照しつつ、本発明の実施態様をその単なる例示として詳細に説明する。
添付図面において、図示される警報装置は、床に直立させるために、概ね平坦な基部１２を設けた垂直な中空ハウジング１０を有する。ハウジング１０は概ね正方形の断面を有し、上部が上端部に向けて細くなっている。基部１２は、正方形でハウジング１０より幾分大きい形状をなし、ハウジング１０と一体に形成されている。ハウジング１０及び基部１２は、平面上それぞれ別の形状、例えば円形にすることができる。
【００１０】
吸着装置が警報装置の前記基部に取り付けられ、かつ床に係合するための吸盤１４を有し、吸盤１４は、その上端部から作動レバー１５が突出する取付け具１６により担持されている。作動レバー１５は、吸盤１４の中心部に結合されて、警報装置を床に固定するために、該レバーを回すと吸盤１４の中心部が、該吸盤と床との間に真空を作るために持ち上げられ、作動レバーを逆向きに回すと、真空を抜くために前記吸盤の中心部が下がって、警報装置を床から解放するように構成されている。手動操作される作動レバー１５への接近は、ハウジング１０の一方の側壁にある常時施錠扉１６を通して得ることができる。
【００１１】
ハウジング１０の平坦な上端部には近接センサ１８が取り付けられ、かつハウジング１０内にはその上端部付近にスピーカ２０が取り付けられている。ハウジング１０の側壁には、スピーカ２０付近に格子窓２２が形成され、前記スピーカにより生成される音声を発出できるようになっている。ハウジング１０内には制御装置２４が取り付けられ、扉１６を介して接近可能になっている。
【００１２】
使用時には、前記警報装置を床の適当な位置に配置し、かつ作動レバー１５を介して前記吸着装置を作動させることにより所定位置に固定する。次に、扉１６を通して接近可能な制御装置２４上のオン／オフスイッチを用いて、警報装置のスイッチをオンにする。
【００１３】
警報装置が保護している床または歩道の領域に歩行者が接近した場合、近接センサ１８が歩行者を感知して、録音されている可聴メッセージを制御装置２４に再生させ、これがスピーカ２０によって中継される。警報装置は、同時に通電されるせん光灯をその上端部またはその付近に備えることができる。制御装置２４は、制御装置２４上のセレクタスイッチにより選択される、多数の様々なメッセージのいずれかを再生するように構成することができる。
【００１４】
ハウジング１０の外面には、視覚的な警告標識やメッセージ１１が付されていることが認められる。
【００１５】
添付図面には示されていないが、前記警報装置と他の構造（例えば同様の装置）との間を連結して、歩行者への障害物を形成するために、１つまたは複数のテープまたは他の細長い可撓性要素を設けることが好ましい。特に、前記警報装置は、必要な場合にそこからテープを延長させることができる、１つまたは複数の引込み式テープ装置を備えることができる。
【００１６】
前記警報装置を権限の無い者が移動させた場合に、可聴アラームを発生させるように構成した移動センサを前記警報装置が備えていると好都合である。この移動センサは、１つまたは複数のチルトスイッチ、または警報装置の底面と床との間で動作する圧力スイッチで構成することができる。前記可聴アラームスピーカ２０を介して中継されることが好ましい。
【国際公開パンフレット】
2004532432.tif 000003
2004532432.tif 000004
2004532432.tif 000005
2004532432.tif 000006
2004532432.tif 000007
2004532432.tif 000008
2004532432.tif 000009
2004532432.tif 000010
2004532432.tif 000011
【国際調査報告】
2004532432.tif 000012
2004532432.tif 000013